(57)【特許請求の範囲】
【請求項１】
絶縁配線基板上に半導体素子が搭載された半導体搭載基板と、
プリント配線を有する絶縁基板に電気接続用のビアホールを設け、このビアホールにインプラントピンの一端を圧入してなるインプラント基板とを備え、
前記インプラント基板のインプラントピンの他端を、前記半導体搭載基板の半導体素子及び／又は回路パターンに接合することにより、前記半導体搭載基板の半導体素子を電気接続した半導体装置において、
前記インプラントピンの他端に圧入された筒状端子を介して、前記インプラントピンが前記半導体搭載基板の半導体素子及び／又は回路パターンに接合され、
前記筒状端子に圧入された状態での前記インプラントピンと前記筒状端子との合計長さが、前記半導体搭載基板上の半導体素子及び／又は回路パターンと前記インプラント基板との距離に適合するように、前記インプラントピンの前記筒状端子への圧入深さが調整可能とされていることを特徴とする半導体装置。
【請求項２】
前記インプラントピンの前記筒状端子への圧入部表面及び／又は前記筒状端子の内周面に設けられたメッキ層を介して、前記インプラントピンと前記筒状端子との接触部が接合されている請求項１に記載の半導体装置。
【請求項３】
前記インプラントピンの前記筒状端子への圧入部表面及び／又は前記筒状端子の内周面に設けられた焼結材を介して、前記インプラントピンと前記筒状端子との接触部が接合されている請求項１に記載の半導体装置。
【請求項４】
前記インプラントピンと前記筒状端子の内周面との接触部における、前記インプラントピンと直交する方向の断面において、前記インプラントピンが、前記筒状端子の内周に対し４０％以上接触している請求項１〜３のいずれか１項に記載の半導体装置。
【請求項５】
前記インプラントピンの前記筒状端子への圧入部には、絞り加工により外周に突出した突起部が設けられ、この突起部が前記筒状端子の内周面に接触している請求項１〜４のいずれか１項に記載の半導体装置。
【請求項６】
前記圧入前の状態で、前記インプラントピンの圧入部の最大径から、前記筒状端子の内径を引いた値が、０〜０．２５ｍｍである請求項５に記載の半導体装置。
【請求項７】
前記インプラントピンの圧入部には、絞り加工のないストレートな柱状部が設けられ、この柱状部の少なくとも一部が前記筒状端子の内周面に接触している請求項１〜４のいずれか１項に記載の半導体装置。
【請求項８】
前記圧入前の状態で、前記インプラントピンの圧入部の最大径から、前記筒状端子の内径を引いた値が、０〜０．１５ｍｍである請求項７に記載の半導体装置。
【請求項９】
前記インプラントピンの前記筒状端子側の先端は、先端に向かってテーパ状に縮径している請求項１〜８のいずれか１項に記載の半導体装置。
【請求項１０】
前記筒状端子の内周が、前記インプラントピンの圧入部に適合する形状をなしている請求項１〜９のいずれか１つに記載の半導体装置。
【請求項１１】
絶縁配線基板上に半導体素子が搭載された半導体搭載基板と、
プリント配線を有する絶縁基板に電気接続用のビアホールを設け、このビアホールにインプラントピンの一端を圧入してなるインプラント基板とを用い、
前記インプラント基板のインプラントピンの他端を、前記半導体搭載基板の半導体素子及び／又は回路パターンに接合することにより、前記半導体搭載基板の半導体素子を電気接続する半導体装置の製造方法において、
前記インプラントピンの他端に筒状端子を圧入し、その圧入深さを調整することによって、前記インプラントピンの長さを、前記半導体搭載基板上の半導体素子及び／又は回路パターンと、前記インプラント基板との距離に適合させ、前記筒状端子を介して前記インプラントピンを前記半導体搭載基板の半導体素子及び／又は回路パターンに接合することを特徴とする半導体装置の製造方法。
【請求項１２】
前記インプラントピンの前記筒状端子への圧入部表面及び／又は前記筒状端子の内周面に、メッキ層を形成しておき、前記インプラント基板のインプラントピンの他端を、前記筒状端子を介して前記半導体搭載基板の半導体素子及び／又は回路パターンに当接させ、その状態でリフロー炉に入れて加熱することにより、前記半導体素子と前記絶縁配線基板との接続、前記インプラントピンの筒状端子と半導体搭載基板の半導体素子及び／又は回路パターンとの接続を行うと共に、前記メッキ層を溶融させて前記インプラントピンと前記筒状端子とを接続する請求項１１に記載の半導体装置の製造方法。
【請求項１３】
前記インプラントピンの前記筒状端子への圧入部表面及び／又は前記筒状端子の内周面に、焼結材を塗布しておき、前記インプラント基板のインプラントピンの他端を、前記筒状端子を介して前記半導体搭載基板の半導体素子及び／又は回路パターンに当接させ、その状態でリフロー炉に入れて加熱することにより、前記半導体素子と前記絶縁配線基板との接続、前記インプラントピンの筒状端子と半導体搭載基板の半導体素子及び／又は回路パターンとの接続を行うと共に、前記焼結材を焼結させて前記インプラントピンと前記筒状端子とを接続する請求項１１に記載の半導体装置の製造方法。
【発明の詳細な説明】
【技術分野】
【０００１】
本発明は、半導体装置及びその製造方法に関し、特にパワー半導体素子等を搭載した半導体装置及びその製造方法に関する。
【背景技術】
【０００２】
半導体素子をモジュール化した半導体装置は、例えば図９に示すパッケージ構造をなしている。
【０００３】
図９に示す半導体装置は、樹脂ケース５２の底部に、冷却板５１が配設されている。冷却板５１上には、絶縁基板５３の両面に金属層５４，５５が接合した絶縁配線基板５６が配設され、はんだ層５７ａを介して、絶縁配線基板５６の金属層５５と、冷却板５１とが接合している。絶縁配線基板５６上には、半導体素子５８が配設され、はんだ層５７ｂを介して、絶縁配線基板５６の金属層５４と、半導体素子５８とが接合している。また、絶縁配線基板５６上には外部端子５９が配設され、はんだ層５７ｃを介して絶縁配線基板５６の金属層５４と、外部端子５９とが接合している。各半導体素子５８は、ボンディングワイヤ６０により、外部端子５９と電気接続している。そして、樹脂ケース５２の内部には、封止樹脂６１が充填されて封止されている。
【０００４】
ところで、ＩＧＢＴ（Ｉｎｓｕｌａｔｅｄ  Ｇａｔｅ  Ｂｉｐｏｌａｒ  Ｔｒａｎｓｉｓｔｏｒ）等のパワー半導体素子等のように、発熱の著しい半導体素子の場合においては、特に高い放熱性が必要とされる。
【０００５】
しかしながら、このような従来の半導体装置では、半導体素子５８の上面側には、例えば線径が３００μｍ〜４００μｍ程度の細いアルミワイヤなどからなるボンディングワイヤ６０が接続されているのみであり、加えてボンディングワイヤ６０の通電に伴う発熱もあって、半導体素子５８上面側からの放熱効果はほとんど期待できない。
【０００６】
そこで、配線電流密度、溶断電流耐量、接合の信頼性、放熱性など向上させる目的で、ワイヤボンディング配線構造にかえて、特許文献１、２に記載されるように、インプラント基板と、半導体搭載基板の半導体素子とを、インプラントピンを介して接合する構造の半導体装置が用いられている。
【０００７】
図１０、１１を用いて、特許文献１に開示された半導体装置について説明する。なお、図９に示す半導体装置と実質的に同じ箇所は、同一符号を付してその説明を省略する。
【０００８】
図１０に示すように、この半導体装置は、絶縁配線基板５６上に、半導体素子５８が配設され、はんだ層５７ｂを介して、絶縁配線基板５６の金属層５４と、半導体素子５８とが接合している。
【０００９】
半導体素子５８上には、インプラント基板７９が配設され、インプラント基板７９のインプラントピン７６を介して両者が電気接続している。
【００１０】
インプラント基板７９は、絶縁基板７１の両面に、プリント配線をなす金属層７２、７３が接合してなる絶縁配線基板７５と、該絶縁配線基板７５の金属層７２、絶縁基板７１、金属層７３を貫通して形成されたビアホール７４に圧入されたインプラントピン７６とで構成されている。図１１を併せて参照すると、インプラントピン７６には、鍔部７７が設けられており、インプラントピンの先端から鍔部７７までの一定量が、ビアホール７４に圧入されている。そして、鍔部７７と絶縁配線基板７５とが接合材７８ａを介して接合している。また、インプラントピン７６の他端が、接合材７８ｂを介して半導体素子５８と接合している。
【先行技術文献】
【特許文献】
【００１１】
【特許文献１】特開２０１１−８２３０３号公報
【特許文献２】国際公開２０１１／０８３７３７号パンフレット
【発明の概要】
【発明が解決しようとする課題】
【００１２】
しかしながら、図１０に示す半導体装置の場合、製品種類ごとに部品構成が変更されて半導体素子などの部品高さが変更されると、接合場所における半導体素子とインプラント基板との距離に応じてインプラントピンの長さを調整する必要がある。このため、製品種類の数に合わせて、インプラント基板の数を用意する必要があり、部品の在庫管理に手間を要する問題があった。また、製品種類に合わせて、複数種類のインプラント基板を用意しなければならないので、部品コストが嵩む問題があった。
【００１３】
よって、本発明の目的は、インプラント基板と、半導体搭載基板の半導体素子とを、インプラントピンを介して接合して電気接続した半導体装置を生産性よく製造できる半導体装置及びその製造方法を提供することにある。
【課題を解決するための手段】
【００１４】
上記目的を達成するため、本発明の半導体装置は、
前記インプラントピンの他端に圧入された筒状端子を介して、前記インプラントピンが前記半導体搭載基板の半導体素子及び／又は回路パターンに接合され、
前記筒状端子に圧入された状態での前記インプラントピンと前記筒状端子との合計長さが、前記半導体搭載基板上の半導体素子及び／又は回路パターンと前記インプラント基板との距離に適合するように、前記インプラントピンの前記筒状端子への圧入深さが調整可能とされていることを特徴とする。
【００１５】
本発明の半導体装置は、インプラントピンの他端に圧入された筒状端子を介して、インプラントピンが半導体搭載基板の半導体素子及び／又は回路パターンに接合されており、筒状端子に圧入された状態でのインプラントピンと筒状端子との合計長さが、半導体搭載基板上の半導体素子及び／又は回路パターンとインプラント基板との距離に適合するように、インプラントピンの筒状端子への圧入深さが調整可能とされている。このため、半導体搭載基板上の半導体素子及び／又は回路パターンと、インプラント基板との距離が、それぞれの接合部位毎に異なっていても、それぞれの接合部位に適合した長さのインプラントピンを用意する必要がないので、製品種類ごとにインプラント基板の種類を変える必要はなく、複数の製品間でインプラント基板を共通化できる。このため、部品の在庫管理が容易で、部品コストを抑えることができ、生産性に優れる。
【００１６】
本発明の半導体装置は、前記インプラントピンの前記筒状端子への圧入部表面及び／又は前記筒状端子の内周面に、メッキ層が設けられ、前記インプラントピンを前記筒状端子に圧入した状態で加熱して前記メッキ層を溶融させて、該メッキ層により前記インプラントピンと前記筒状端子との接触部が接合されているか、あるいは、前記インプラントピンの前記筒状端子への圧入部表面及び／又は前記筒状端子の内周面に、焼結材が塗布されており、前記インプラントピンを前記筒状端子に圧入した状態で加熱して前記焼結材を焼結させて、前記インプラントピンと前記筒状端子との接触部が接合されていることが好ましい。この態様によれば、インプラントピンと筒状端子との接合強度が高く、接合の信頼性に優れる。
【００１７】
本発明の半導体装置は、前記インプラントピンと前記筒状端子の内周面との接触部における、前記インプラントピンと直交する方向の断面において、前記インプラントピンが、前記筒状端子の内周に対し４０％以上接触していることが好ましい。この態様によれば、導電性に優れ、更には、インプラントピンと筒状端子との接合強度が高く、接合の信頼性に優れる。
【００１８】
本発明の半導体装置は、前記インプラントピンの前記筒状端子への圧入部に、絞り加工により外周に突出した突起部が設けられ、この突起部が前記筒状端子の内周面に接触していることが好ましい。この態様においては、前記圧入前の状態で、前記インプラントピンの圧入部の最大径から、前記筒状端子の内径を引いた値が、０〜０．２５ｍｍであることが好ましい。
【００１９】
本発明の半導体装置は、前記インプラントピンの圧入部に、絞り加工のないストレートな柱状部が設けられ、この柱状部の少なくとも一部が前記筒状端子の内周面に接触していることが好ましい。この態様においては、前記圧入前の状態で、前記インプラントピンの圧入部の最大径から、前記筒状端子の内径を引いた値が、０〜０．１５ｍｍであることが好ましい。
【００２０】
上記各態様によれば、インプラントピンと筒状端子との接合強度が高く、接合の信頼性に優れる。
【００２１】
本発明の半導体装置は、前記インプラントピンの前記筒状端子側の先端は、先端に向かってテーパ状に縮径していることが好ましい。この態様によれば、筒状端子へのインプラントピンの圧入操作が容易となる。
【００２２】
本発明の半導体装置は、前記筒状端子の内周が、前記インプラントピンの圧入部に適合する形状をなしていることが好ましい。この態様によれば、インプラントピンの筒状端子内周に対する接触面積を大きくできるので、導電性や、接合強度が良好である。
【００２３】
また、本発明の半導体装置の製造方法は、
絶縁配線基板上に半導体素子が搭載された半導体搭載基板と、
プリント配線を有する絶縁基板に電気接続用のビアホールを設け、このビアホールにインプラントピンの一端を圧入してなるインプラント基板とを用い、
前記インプラント基板のインプラントピンの他端を、前記半導体搭載基板の半導体素子及び／又は回路パターンに接合することにより、前記半導体搭載基板の半導体素子を電気接続する半導体装置の製造方法において、
前記インプラントピンの他端に筒状端子を圧入し、その圧入深さを調整することによって、前記インプラントピンの長さを、前記半導体搭載基板上の半導体素子及び／又は回路パターンと、前記インプラント基板との距離に適合させ、前記筒状端子を介して前記インプラントピンを前記半導体搭載基板の半導体素子及び／又は回路パターンに接合することを特徴とする。
【００２４】
本発明の半導体装置の製造方法は、前記インプラントピンの前記筒状端子への圧入部表面及び／又は前記筒状端子の内周面に、メッキ層を形成しておき、前記インプラント基板のインプラントピンの他端を、前記筒状端子を介して前記半導体搭載基板の半導体素子及び／又は回路パターンに当接させ、その状態でリフロー炉に入れて加熱することにより、前記半導体素子と前記絶縁配線基板との接続、前記インプラントピンの筒状端子と半導体搭載基板の半導体素子及び／又は回路パターンとの接続を行うと共に、前記メッキ層を溶融させて前記インプラントピンと前記筒状端子とを接続することが好ましい。
【００２５】
本発明の半導体装置の製造方法は、前記インプラントピンの前記筒状端子への圧入部表面及び／又は前記筒状端子の内周面に、焼結材を塗布しておき、前記インプラント基板のインプラントピンの他端を、前記筒状端子を介して前記半導体搭載基板の半導体素子及び／又は回路パターンに当接させ、その状態でリフロー炉に入れて加熱することにより、前記半導体素子と前記絶縁配線基板との接続、前記インプラントピンの筒状端子と半導体搭載基板の半導体素子及び／又は回路パターンとの接続を行うと共に、前記焼結材を焼結させて前記インプラントピンと前記筒状端子とを接続することが好ましい。
【発明の効果】
【００２６】
本発明によれば、複数の製品間でインプラント基板を共通化して使用できるので、部品の在庫管理が容易で、部品コストを抑えることができ、インプラント基板によって半導体素子が電気接続された半導体装置を生産性よく製造できる。
【図面の簡単な説明】
【００２７】
【図１】本発明の半導体装置の一実施形態を示す概略断面図である。
【図２】図１のＡ部分の拡大図である。
【図３】同半導体装置に用いることのできる外部端子の概略図であって、（ａ）は側面図であり、（ｂ）は（ａ）のＣ−Ｃ線での断面図である。
【図４】同半導体装置に用いることのできる外部端子の概略図であって、（ａ）は側面図であり、（ｂ）は（ａ）のＤ−Ｄ線での断面図である。
【図５】同半導体装置に用いることのできる外部端子の概略図であって、（ａ）は側面図であり、（ｂ）は（ａ）のＥ−Ｅ線での断面図である。
【図６】同半導体装置に用いることのできる外部端子の概略図であって、（ａ）は側面図であり、（ｂ）は（ａ）のＦ−Ｆ線での断面図である。
【図７】本発明の半導体装置の他の実施形態を示す要部拡大断面図である。
【図８】本発明の半導体装置の更に他の実施形態を示す要部拡大断面図である。
【図９】従来の半導体装置の一例を示す概略断面図である。
【図１０】従来の半導体装置の他の一例を示す概略断面図である。
【図１１】図１０のＧ部分の拡大図である。
【発明を実施するための形態】
【００２８】
本発明の半導体装置について図面を参照して説明する。図１には、本発明の半導体装置の一実施形態が示されている。
【００２９】
この半導体装置は、樹脂ケース２の底部に、冷却板１が配設されている。冷却板１は、放熱性の高い材料で構成される。例えば、銅、アルミニウム、銅合金、アルミニウム合金などが挙げられる。
【００３０】
冷却板１上に、絶縁配線基板３が配設されている。絶縁配線基板３は、絶縁基板４の両面に金属層５，６が接合してなるものであって、金属層５によって、絶縁基板４上に所定の回路パターンが形成されている。そして、絶縁配線基板３の金属層６と、冷却板１とが、はんだ又は焼結材層７ａを介して接合している。
【００３１】
絶縁配線基板３としては、特に限定は無いが、例えば、セラミック基板上に銅板を直接接合させたＤｉｒｅｃｔ  Ｂｏｎｄｉｎｇ  Ｃｏｐｐｅｒ基板や、セラミックスと銅板とをろう材を介して接合したＡｃｔｉｖｅ  Ｍｅｔａｌ  Ｂｒａｚｅｄ  Ｃｏｐｐｅｒ基板等が挙げられる。
【００３２】
絶縁配線基板３の回路パターンを構成する金属層５の所定箇所には、外部端子９が、はんだ又は焼結材層７ｂを介して接合している。また、同金属層５には、複数の半導体素子８ａ，８ｂが、はんだ又は焼結材層７ｃを介して接合している。半導体素子８ａ，８ｂは、用途により異なるが、例えば、ＩＧＢＴ等のパワー半導体素子、ＦＷＤ等の整流素子等が挙げられる。
【００３３】
半導体素子８の上方には、インプラント基板３０が配置されている。インプラント基板３０は、絶縁基板３１の両面に、プリント配線をなす金属層３２、３３が接合してなる絶縁配線基板３４と、該絶縁配線基板３４の金属層３２、絶縁基板３１、金属層３３を貫通して形成されたビアホール３５に圧入されたインプラントピン２０とで構成される。ビアホール３５の内面には、金属層３２及び／又は金属層３３に導通する図示しない金属層が形成されており、この内面の金属層がインプラントピン２０と導通している。
【００３４】
インプラント基板３０のインプラントピン２０のいくつかのものの下端は、筒状端子１０に圧入されている。そして、この実施形態では、筒状端子１０を有しないインプラントピン２０が、はんだ又は焼結材層７ｅを介して半導体素子８ａと接続され、筒状端子１０を有するインプラントピン２０の筒状端子１０が、はんだ又は焼結材層７ｄを介して半導体素子８ｂと金属層５とに接続されている。
【００３５】
図２を併せて参照すると、インプラントピン２０には、鍔部２６が設けられており、インプラントピンの先端２７から鍔部２６までの一定量Ｌ１が、ビアホール３５に圧入されている。そして、鍔部２６と絶縁配線基板３４とが接合材３６を介して接合している。
【００３６】
インプラントピン２０の筒状端子１０への圧入深さＬ２は、半導体素子８ｂとインプラント基板３０との距離、金属層５とインプラント基板３０との距離に適合するように、それぞれの筒状端子毎に調整されている。
【００３７】
すなわち、本発明では、半導体素子８とインプラント基板３０との距離や、金属層５とインプラント基板３０との距離に応じて、長さの異なるインプラントピンを備えるインプラント基板を使用するのではなく、それぞれの距離に応じてインプラントピン２０の筒状端子１０への圧入深さを変えることで、インプラント基板３０と、半導体素子８や金属層５とを接合し、各半導体素子を電気接続している。このため、製品種類ごとにインプラント基板を変更する必要がなく、インプラント基板を複数の製品間で共通化して使用できる。
【００３８】
なお、インプラント基板３０と半導体素子８又は金属層５との間の距離が、インプラント基板３０から伸びたインプラントピン２０の長さに適合する場合は、筒状端子１０を介せず、インプラントピン２０を半導体素子８や金属層５に接合してもよい。この実施形態では、インプラント基板３０と半導体素子８ａとの間の距離が、インプラント基板３０から伸びたインプラントピン２０の長さに適合しているため、半導体素子８ａには、インプラントピン２０がはんだ又は焼結材層７ｅを介して直接接合している。
【００３９】
本発明の半導体装置において、インプラントピン２０と筒状端子１０の内周面との接触部における、インプラントピン２０と直交する方向の断面、すなわち、図２のＢ−Ｂ断面において、インプラントピン２０は、筒状端子１０の内周に対し４０％以上接触していることが好ましい。インプラントピン２０の筒状端子１０への接触面積が４０％未満であると、接合強度や導電性が不十分な場合がある。接触面積が４０％以上であれば、十分な接合強度と導電性が得られる。
【００４０】
本発明の半導体装置において、インプラントピン２０の形状は、特に限定は無い。円柱状、角柱状等いずれの形状のものを用いることができる。また、インプラントピン２０の筒状端子１０への圧入部の形状は、例えば、図３〜６に示す形状をなすものなどを好ましく用いることができる。
【００４１】
図３に示されるインプラントピン２０ａは、絞り加工のないストレートな柱状部２１からなる圧入部と、該圧入部から先端２５に向かってテーパ状に縮径している縮径部２３とを備えている。このインプラントピン２０ａを、筒状端子１０に圧入すると、柱状部２１が、筒状端子１０の内周面に接触して両者が接合する。また、先端２５がテーパ状に縮径しているので、インプラントピン２０ａを筒状端子１０に圧入する際に中心位置の調整が容易となり、圧入し易い。
【００４２】
インプラントピン２０の圧入部の最大外径Ｒｍａｘは、圧入前の状態で、該最大外径Ｒｍａｘと、筒状端子１０の内径Ｒとの差分（Ｒｍａｘ−Ｒ）が、０〜０．１５ｍｍであることが好ましく、０．０５〜０．１５ｍｍがより好ましく、０．０５〜０．１０ｍｍがより好ましい。上記差分が、上記範囲内となるように最大外径Ｒｍａｘを設定することで、インプラントピン２０ａの破損や、筒状端子１０の破損等を生じることなく、インプラントピン２０ａを筒状端子１０に圧入して両者を強固に接合できる。
【００４３】
図４〜６に示されるインプラントピン２０ｂ〜２０ｄは、絞り加工により外周に突出した突起部２２を有する圧入部と、該圧入部から先端２５に向かってテーパ状に縮径している縮径部２３とを備えている。図４に示すインプラントピン２０ｂでは、突起部２２が断面十字状をなし、図５に示すインプラントピン２０ｃでは、突起部２２が断面Ｙ字状（３つの突出部が等角度で放射状に突出した形状）をなし、図６に示すインプラントピン２０ｄでは、突起部２２が平板状をなしている。このインプラントピンを、筒状端子１０に圧入すると、突起部２２が、筒状端子１０の内周面に接触して両者が接合する。また、先端２５がテーパ状に縮径しているので、インプラントピン２０を筒状端子１０に圧入する際に中心位置の調整が容易となり、圧入し易い。なお、絞り加工によって形成される突起部の形状は、図４〜６に示す形状に限定されない。
【００４４】
インプラントピン２０ｂ〜２０ｄにおいて、圧入部の最大外径Ｒｍａｘは、圧入前の状態で、該最大外径Ｒｍａｘと、筒状端子１０の内径Ｒとの差分（Ｒｍａｘ−Ｒ）が、０〜０．２５ｍｍであることが好ましく、０．０５〜０．２５ｍｍがより好ましく、０．１０〜０．２０ｍｍがより好ましい。上記差分が、上記範囲内となるように最大外径Ｒｍａｘを設定することで、インプラントピンの破損や、筒状端子１０の破損等を生じることなく、インプラントピンを筒状端子１０に圧入して両者を強固に接合できる。
【００４５】
筒状端子１０は、その内周が、インプラントピン２０の圧入部に適合する穴形状をなしていることが好ましい。筒状端子１０の内周が、インプラントピン２０の圧入部に適合する形状をなしていることにより、インプラントピン２０の、筒状端子１０の内周に対する接触面積を大きくできる。また、突起部２２の各先端が筒状端子１０の内周に係合して回り止めがなされる。
【００４６】
そして、本発明の半導体装置は、樹脂ケース２の内部に、ゲル、エポキシ樹脂などの封止樹脂１５が充填されて封止されている。
【００４７】
次に、上記半導体装置の製造方法となる、本発明の半導体装置の製造方法の一実施形態について説明する。
【００４８】
まず、インプラント基板３０の製造方法について説明する。インプラント基板３０は、絶縁配線基板３４の所定の位置に、金属層３２、絶縁基板３１、金属層３３を貫通する、電気接続用のビアホール３５を形成し、このビアホール３５に、インプラントピン２０の先端２７を圧入したのち、該インプラントピン２０の鍔部２６と、絶縁配線基板３４とを接合材３６により接合することにより製造される。
【００４９】
次に、半導体装置の製造方法について説明する。
【００５０】
冷却板１上に、はんだ又は焼結材層７ａを介して、絶縁配線基板３の金属層６側が接触するように配置し、絶縁配線基板３の金属層５の所定の回路パターン上にはんだ又は焼結材層７ｃを介して半導体素子８ａ，８ｂを配置する。
【００５１】
次に、インプラント基板３０から延出したインプラントピン２０を、筒状端子１０に圧入し、その圧入深さを調整して、インプラントピン２０の長さを、半導体素子８ｂとインプラント基板３０との距離、金属層５とインプラント基板３０との距離に適合させる。
【００５２】
そして、インプラント基板３０を絶縁配線基板３上に配置して、半導体素子８ｂ、金属層５の所定の位置に、はんだ又は焼結材層７ｄを介して筒状端子１０を配置すると共に、半導体素子８ａ上には、はんだ又は焼結材層７ｅを介して、インプラント基板３０から延出したインプラントピン２０を配置する。
【００５３】
そして、この状態でリフロー炉に導入し、はんだ又は焼結材層７ａ，７ｃ，７ｄ，７ｅをそれぞれ溶融又は焼結させて、冷却板１と絶縁配線基板３の金属層６との接合、半導体素子８ａ，ｂと絶縁配線基板３の金属層５との接合、筒状端子１０と絶縁配線基板３の金属層５との接合、筒状端子１０と半導体素子８ｂとの接合、インプラントピン２０と半導体素子８ａとの接合を行う。
【００５４】
リフロー時における加熱温度は、３５０℃以下が好ましく、２５０〜３３０℃がより好ましい。加熱温度が３５０℃を超えると、半導体素子等が熱的損傷する恐れがある。
【００５５】
次に、金属層５の所定の位置に外部端子９をはんだ又は焼結材層７ｂを介して配置し、はんだ又は焼結材層７ｂを溶融又は焼結させて両者を接合する。そして、冷却板１の周囲を樹脂ケース２で囲い、樹脂ケース２で囲われた内部に封止樹脂１５を充填し、封止樹脂を硬化することで本発明の半導体装置が製造される。
【００５６】
図７には、本発明の半導体装置の他の実施形態が示されている。この半導体装置は、インプラントピン２０の筒状端子１０への圧入部表面には、メッキ層２８が設けられており、該メッキ層２８が融解して、インプラントピン２０の圧入部と、筒状端子１０の内周面とが接合している。なお、この実施形態では、メッキ層はインプラントピン２０の圧入部表面に形成されているが、筒状端子１０の内周面に形成されてもよく、インプラントピン２０の圧入部表面と筒状端子１０の内周面との双方に形成されていてもよい。
【００５７】
メッキ層２８の厚みは、圧入前の状態で５μｍ以下が好ましい。
【００５８】
メッキ層２８は、単層であってもよく、複数のメッキ層が積層したものであってもよいが、少なくとも最表層が３５０℃以下の温度で溶融するものが好ましく用いられる。溶融温度が３５０℃以下のメッキ材料としては、Ｓｎメッキ、ＳｎＡｇ系はんだメッキ、ＳｎＢｉ系はんだメッキ、ＳｎＳｂ系はんだメッキ、ＳｎＣｕ系はんだメッキ、ＳｎＩｎ系はんだメッキ等が挙げられる。溶融温度が３５０℃以下であれば、半導体素子等をはんだ付けする際のリフロー工程時に溶融できる。
【００５９】
次に、上記半導体装置の製造方法となる、本発明の半導体装置の製造方法の他の実施形態について説明する。
【００６０】
この実施形態においても、上記実施形態と同様、インプラント基板３０から延出したインプラントピン２０を、筒状端子１０に圧入し、その圧入深さを調整して、インプラントピン２０の長さを、半導体素子８ｂとインプラント基板３０との距離、金属層５とインプラント基板３０との距離に適合させる。そして、半導体素子８ｂ、金属層５の所定の位置に、はんだ又は焼結材層７ｄを介して筒状端子１０を配置する。また、半導体素子８ａ上には、はんだ又は焼結材層７ｅを介して、インプラント基板３０から延出したインプラントピン２０を配置する。
【００６１】
そして、この状態でリフロー炉に導入し、はんだ又は焼結材層７ａ，７ｃ，７ｄ，７ｅ、メッキ層２８をそれぞれ融解又は焼結させて、はんだ又は焼結材層７ａ，７ｃ，７ｄ，７ｅを介して、冷却板１と絶縁配線基板３の金属層６との接合、半導体素子８ａ，ｂと絶縁配線基板３の金属層５との接合、筒状端子１０と絶縁配線基板３の金属層５との接合、筒状端子１０と半導体素子８ｂとの接合、インプラントピン２０と半導体素子８ａとの接合を行うと共に、メッキ層２８を介して、インプラントピン２０と筒状端子１０との接合を行う。
【００６２】
リフロー時における加熱温度は、３５０℃以下が好ましく、２５０〜３３０℃がより好ましい。加熱温度が３５０℃を超えると、半導体素子等が熱的損傷する恐れがある。
【００６３】
そして、金属層５の所定の位置に外部端子９をはんだ又は焼結材層７ｂを介して配置し、はんだ又は焼結材層７ｂを溶融又は焼結して両者を接合し、冷却板１の周囲を樹脂ケース２で囲い、樹脂ケース２で囲われた内部に封止樹脂１５を充填し、封止樹脂を硬化することで半導体装置が製造される。
【００６４】
図８には、本発明の半導体装置の更に他の実施形態が示されている。この半導体装置は、インプラントピン２０が筒状端子１０に圧入されている。そして、インプラントピン２０の筒状端子１０への圧入部表面及び／又は筒状端子１０の内周面には、焼結材２９が塗布されており、該焼結材が焼結して、インプラントピン２０の圧入部と、筒状端子１０の内周面とが接合している。
【００６５】
焼結材２９としては、３５０℃以下の温度で焼結するものが好ましく用いられる。例えばＡｇ系やＣｕ系の焼結材料等が挙げられる。焼結温度が３５０℃以下であれば、半導体素子等をはんだ付けする際のリフロー工程時に焼結できる。
【００６６】
次に、上記半導体装置の製造方法となる、本発明の半導体装置の製造方法の他の実施形態について説明する。
【００６７】
この実施形態においては、筒状端子１０の内周面及び／又はインプラントピン２０の筒状端子１０への圧入部に焼結材２９を塗布した後、インプラント基板３０から延出したインプラントピン２０を、筒状端子１０に圧入し、その圧入深さを調整して、インプラントピン２０の長さを、半導体素子８ｂとインプラント基板３０との距離、金属層５とインプラント基板３０との距離に適合させる。そして、半導体素子８ｂ、金属層５の所定の位置に、はんだ又は焼結材層７ｄを介して筒状端子１０を配置する。また、半導体素子８ａ上には、はんだ又は焼結材層７ｅを介して、インプラント基板３０から延出したインプラントピン２０を配置する。
【００６８】
そして、この状態でリフロー炉に導入し、はんだ又は焼結材層７ａ，７ｃ，７ｄ，７ｅ、焼結材２９をそれぞれ融解又は焼結させて、はんだ又は焼結材層７ａ，７ｃ，７ｄ，７ｅを介して、冷却板１と絶縁配線基板３の金属層６との接合、半導体素子８ａ，ｂと絶縁配線基板３の金属層５との接合、筒状端子１０と絶縁配線基板３の金属層５との接合、筒状端子１０と半導体素子８ｂとの接合、インプラントピン２０と半導体素子８ａとの接合を行うと共に、焼結材２９の焼結によって、インプラントピン２０と筒状端子１０との接合を行う。
【００６９】
リフロー時における加熱温度は、３５０℃以下が好ましく、２５０〜３３０℃がより好ましい。加熱温度が３５０℃を超えると、半導体素子等が熱的損傷する恐れがある。
【００７０】
そして、金属層５の所定の位置に外部端子９をはんだ又は焼結材層７ｂを介して配置し、はんだ又は焼結材層７ｂを溶融又は焼結して両者を接合し、冷却板１の周囲を樹脂ケース２で囲い、樹脂ケース２で囲われた内部に封止樹脂１５を充填し、封止樹脂を硬化することで半導体装置が製造される。
【符号の説明】
【００７１】
１：冷却板
２：樹脂ケース
３：絶縁配線基板
４：絶縁基板
５、６：金属層
７ａ，７ｂ，７ｃ，７ｄ，７ｅ：はんだ又は焼結材層
８、８ａ，８ｂ：半導体素子
９：外部端子
１０：筒状端子
１５：封止樹脂
２０：インプラントピン
２８：メッキ層
２９：焼結材
３０：インプラント基板
３１：絶縁基板
３２、３３：金属層
３４：絶縁配線基板
３５：ビアホール
３６：接合材
５１：冷却板
５２：樹脂ケース
５３：絶縁基板
５４，５５：金属層
５６：絶縁配線基板
５８：半導体素子
５９：外部端子
６０：ボンディングワイヤ
６１：封止樹脂
７１：絶縁基板
７２、７３：金属層
７４：ビアホール
７５：絶縁配線基板
７６：インプラントピン
７９：インプラント基板
【図１】
0005887901.tif 000002
【図２】
0005887901.tif 000003
【図３】
0005887901.tif 000004
【図４】
0005887901.tif 000005
【図５】
0005887901.tif 000006
【図６】
0005887901.tif 000007
【図７】
0005887901.tif 000008
【図８】
0005887901.tif 000009
【図９】
0005887901.tif 000010
【図１０】
0005887901.tif 000011
【図１１】
0005887901.tif 000012